(57)【要約】【課題】既存のフロアパネルに対して、フロアパネルを撤去することなく適用可能な、フロアパネルの浮き上がり及び脱落を防止するためのフロアパネル固定金具、およびこれを用いたフロアパネル固定方法を提供する。【解決手段】パネル固定金具１０のボルト２７を時計方向へ回転させると、フロアパネル１下において、係止部１７がストッパ１５に接触するまで回転する。係止部１７がストッパ１５へ接触した後に、さらにボルト２７を時計方向に回転させると、係止部１７は、雌ねじ部２３とボルト２７の螺合により、上昇動作を行い、Ｈ鋼３と係止されフロアパネル１はＨ鋼３へ固定される。【選択図】図１０
2008240490.tif 000002
【特許請求の範囲】
【請求項１】
天板と、
底板と、
前記天板と前記底板を連結するストッパと、
ねじ部を有する係止部と、
前記天板と前記底板とを貫通し、前記天板と前記底板の間で前記係止部と螺合するボルトと、
を有し、前記ボルトの回転にともない、前記係止部が前記ストッパと接触するまでは前記係止部は回転可能であり、前記係止部が前記ストッパと接触後は前記係止部が昇降することを特徴とするパネル固定金具。
【請求項２】
前記係止部材が、Ｕ字断面形状であることを特徴とする請求項1記載のパネル固定金具。
【請求項３】
支持体上に載置されたパネルを前記支持体に固定する固定方法であって、
請求項１記載のパネル固定金具を前記パネルの孔に挿入する工程（ａ）と、
前記パネル固定金具の前記ボルトをまわして、前記係止部を回転させる工程（ｂ）と、
前記パネル固定金具のボルトをまわして、前記パネル固定金具の係止部を上昇させて前記支持体と前記パネルを固定する工程（ｃ）と、
を有することを特徴とするパネル固定方法。
【請求項４】
前記孔は、前記パネル固定金具を前記パネルに挿入するために、前記パネルに予め設けられることを特徴とする請求項３記載のパネル固定方法。
【発明の詳細な説明】
【技術分野】
【０００１】
本発明は、フリーアクセスフロアを構成するフロアパネルの浮き上がり及び脱落を防止するパネル固定金具およびパネル固定方法に関するものである。
【背景技術】
【０００２】
フリーアクセスフロアを構成するフロアパネルは、支持体の上に配置され、フロアパネル下には空間が形成される。この床下は、配線等を配置したり、クリーンルームにおいては防塵のための空気を流したりするために用いられる。従来、フロアパネルは、この床下の配線の点検等が容易にできるように、支持体とフロアパネルは固定されず、支持体上に配置された支持台上にフロアパネルを載せているだけであった。
【０００３】
しかし、フロアパネルを固定しないでいると、地震の際にフロアパネルが浮き上がり、または床下に脱落する恐れがある。また、フロアパネルの浮き上がりにより、フロアパネルの上に設置していた機器類が転倒する恐れがある。このため、フロアパネルを支持体に固定することが要求されている。
【０００４】
フロアパネルを支持体に固定する手段としては、パネルを下方から支持する支持台に設けたパネル受け部と、パネルを上方から締結するパネル押さえと、当該パネル押さえと係合する留め具とからなり、当該留め具とパネル受け部が接合され、パネル押さえがパネル上方から留め具に係合するフロアパネル固定装置がある（特許文献１）。
【０００５】
また、フロアパネルに設けられた貫通孔に挿入され、先端部が支持体の係止面に係止される湾曲した腕部を有する係止部材と、当該係止部をフロアパネルに固定する装着部材とから構成されるフロアパネル浮き上がり防止用固定金具がある（特許文献２）。
【特許文献１】特開平７−２３３６１８号公報
【特許文献２】特開平１１−１３２６３号公報
【発明の開示】
【発明が解決しようとする課題】
【０００６】
しかしながら、特許文献１記載のフロアパネル固定装置を既存のフロアパネルに対して適用するためには、既設の支持台、および既存のフロアパネルをすべて新規交換しなければならず、また、交換に際しては、すべてのフロアパネルを撤去しなければならない。このため、フロアパネル上に設置された機器類等を退避させる必要があり、固定に際し、コストおよび工数がかかるという問題がある。
【０００７】
また、特許文献２記載のフロアパネル浮き上がり防止用固定金具を既存のフロアパネルに適用するためには、既設の支持台を交換する必要はないものの、金具の設置の際には、フロアパネルを部分的に撤去する必要があり、特許文献1と同様の問題がある。また、固定位置と金具設置位置とが離れているため、大きな固定強度を得ることができないという問題がある。
【０００８】
本発明は、このような問題に鑑みてなされたもので、既存のフロアパネルに対して、フロアパネルを撤去することなく適用可能であり、フロアパネルの浮き上がり及び脱落を防止するためのフロアパネル固定金具、およびこれを用いたフロアパネル固定方法を提供することを目的とする。
【課題を解決するための手段】
【０００９】
前述した目的を達成するため、第１の発明は、天板と、底板と、前記天板と前記底板を連結するストッパと、ねじ部を有する係止部と、前記天板と前記底板とを貫通し、前記天板と前記底板の間で前記係止部と螺合するボルトと、を有し、前記ボルトの回転にともない、前記係止部が前記ストッパと接触するまでは前記係止部は回転可能であり、前記係止部が前記ストッパと接触後は前記係止部が昇降することを特徴とするパネル固定金具である。
【００１０】
前記係止部材が、Ｕ字断面形状であってもよい。
【００１１】
第１の発明によれば、既存のフロアパネルに対して、フロアパネルを撤去することなく適用可能な、フロアパネルの浮き上がり及び脱落を防止するためのフロアパネル固定金具を提供することができる。
【００１２】
第２の発明は、支持体上に載置されたパネルを前記支持体に固定する固定方法であって、請求項１記載のパネル固定金具を前記パネルの孔に挿入する工程（ａ）と、前記パネル固定金具の前記ボルトをまわして、前記係止部を回転させる工程（ｂ）と、前記パネル固定金具のボルトをまわして、前記パネル固定金具の係止部を上昇させて前記支持体と前記パネルを固定する工程（ｃ）と、を有することを特徴とするパネル固定方法である。
【００１３】
前記孔は、前記パネル固定金具を前記パネルに挿入するために、前記パネルに予め設けられてもよい。
【００１４】
第２の発明によれば、既存のフロアパネルに対して、フロアパネルを撤去することなく適用可能な、フロアパネルの浮き上がり及び脱落を防止するためのフロアパネル固定金具を用いた、フロアパネル固定方法を提供することができる。
【発明の効果】
【００１５】
本発明によれば、既存のフロアパネルに対して、フロアパネルを撤去することなく適用可能であり、かつ、既存パネルがソリッドタイプ（孔なし）のフロアパネルの場合は金具設置用の孔を設けることで設置でき、既存パネルがグリルタイプのフロアパネルの場合は、既存の孔をそのまま使用して設置が可能な、フロアパネルの浮き上がり及び脱落を防止するためのフロアパネル固定金具、およびこれを用いたフロアパネル固定方法を提供することができる。
【発明を実施するための最良の形態】
【００１６】
以下、本発明の実施の形態を詳細に説明する。図１は、フロアパネル１が支持体上に設置された状態を示す斜視図である。フロアパネル１は、支柱５により支持された支持体であるＨ鋼３の上に配置される。Ｈ鋼３上には、支持台７が配置されており、フロアパネル１の角部が支持台７上に載せられている。すなわち、支持台７は、隣接するフロアパネル１の角部を支持し、フロアパネル１がＨ鋼３上でずれることを防止している。
【００１７】
フロアパネル１は、支持台７に乗せられているだけであるので、フロアパネル１を設置する場合は、フロアパネル１の角部を支持台７の位置に合わせて置けばよい。また、フロアパネル１を持ち上げれば、容易にフロアパネル１をＨ鋼３から撤去することができ、床下への開口部を得ることができる。
【００１８】
このように、特殊な支持台７やフロアパネル１でなければ、フロアパネル１は容易に取り外しができる反面、地震等でフロアパネル１が浮き上がり、または脱落する恐れがある。
【００１９】
図２は、フロアパネル１を固定するパネル固定金具１０の構成を示す分解斜視図である。パネル固定金具１０は、天板１１と底板１３とストッパ１５と、係止部１７と、ボルト２７および抜け止部１９から構成される。
【００２０】
板状の天板１１と板状の底板１３はお互いに平行に配置され、棒状のストッパ１５で結合されている。天板１１および底板１３には、それぞれ穴２１、穴２５が設けられている。係止部７はＵ字断面の板状部材であり、Ｕ字底部に雌ねじ部２３を有する。雌ねじ部２３は、係止部１７の長手方向中心からやや長手方向端部に偏移した位置に設けられる。なお、係止部７のＵ字上部端面は、フロアパネル１と接触する部位であり、フロアパネル１とのすべりを防止するため、予め粗い面としてもよい。
【００２１】
ここで、パネル固定金具の使用方法の詳細は後述するが、底板１３と係止部１７は、パネルの孔より挿入するため、できるだけ小さいほうが望ましく、天板１１は、パネルの孔より脱落しない程度の大きさが必要である。
【００２２】
ボルト２７は天板１１の穴２１より挿入され、係止部１７の雌ねじ部２３と螺合し、さらに底板１３の穴２５を貫通する。ボルト２７の端部は、底板１３の下方より抜け止部１９と接合され、ボルト２７が底板１３と外れることを防止している。
【００２３】
ボルト２７は特定しないが、設置時にボルト２７頭部がパネル上に突出しないように、ボルト形状としては、皿ボルトが望ましい。また、天板１１の穴２１もボルト２７の頭部の形状に合わせることが望ましい。なお、天板１１、底板１３、係止部１７、ストッパ１５の材質は特定しないが、鉄製、アルミ製などが使用できる。
【００２４】
図３は、パネル固定金具１０が組み立てられた状態を示す斜視図である。係止部１７は天板１１と底板１３の間に位置している。ボルト２７と係止部１７は回転可能であり、天板１１の上方よりボルト２７を回転させると、係止部１７も回転する。
【００２５】
図４〜図６は、パネル固定金具１０の動作を示す図である。図４はパネル固定金具１０をパネルに挿入する際の状態を示した図であり、図４（ａ）は上部より見た図、図４（ｂ）は側方より見た図を示す。パネル固定金具１０をパネルに挿入する際の段階においては、係止部１７は底板１３側へ近づけておく。係止部１７を上下させるためには、係止部１７が回転動作しないように保持したまま、ボルト２７を回転させれば、ボルト２７と係止部１７の雌ねじ部２３との螺合により上下動させることができる。また、この際、係止部１７と天板１１の長手方向を一致させておくことが望ましい。
【００２６】
図５は、係止部１７の回転動作を示した図であり、図５（ａ）は上方より見た図、図５（ｂ）は側方より見た図である。図４の状態から、天板１１の上方よりボルト２７を時計回りに回転させると（図中Ａ方向）、係止部１７もボルト動作と連動し、ストッパ１５と接触するまで回転する。ここで、係止部１７とボルト２７とは、自由に回転可能であるが、係止部１７の雌ねじ部２３とボルト２７との摩擦抵抗により、係止部１７はボルト２７と連動する。
【００２７】
図６は、係止部１７の上昇動作を示した図であり、図６（ａ）は上方より見た図、図６（ｂ）は側方より見た図である。図５に示したように、係止部１７がストッパ１５と接触した後、さらにボルト２７を時計回りに回転させることで、ボルト２７と係止部１７の雌ねじ部２３との螺合により、係止部１７は上昇動作（図中Ａ方向）を行う。
【００２８】
同様に、ボルト２７を逆に回転させれば、係止部１７はボルト２７の回転方向に回転動作し、ストッパ１５と接触すると、その後下降動作する。このように、係止部１７は、ボルト２７の回転動作に伴い、ストッパ１５と接触するまでは回転動作を行い、その後は昇降動作を行う。
【００２９】
次に、本発明にかかるパネル固定金具１０を用いた、パネルの固定方法を説明する。図７は、フロアパネル１がＨ鋼３上に配置された状態を示す図であり、図７（ａ）は上方より見た図、図７（ｂ）は側方より見た断面図を示す図である。
【００３０】
まず、フロアパネル１のパネル固定金具１０設置位置に設置孔３２を設ける。設置孔３２はフロアパネル１の格子部３１の一部を切断することで容易に設けることができる。なお、パネル固定金具１０の底板１３と係止部１７が、フロアパネル１の既存の孔２９に挿入可能であれば、改めて設置孔３２を設ける必要はなく、孔２９を設置孔３２として使用すればよい。
【００３１】
また、既設のフロアパネルに格子部３１がなく、たとえば孔２９が存在しないか、または孔２９が小円形のパンチングメタルなどが使用されている場合であっても、パネル固定金具１０の底板１３および係止部１７が挿入可能な設置孔３２をホールソー等で別途設ければよい。
【００３２】
図８は、設置孔３２にパネル固定金具１０を設置した状態を示す図であり、図８（ａ）は上方より見た図、図８（ｂ）は側方より見た断面図を示す図である。
【００３３】
パネル固定金具１０をフロアパネル１に挿入する際は、前述のとおり、係止部１７を底板１３側に近づけておく。また、係止部１７が天板１１と長手方向が一致する方向にしておくと、フロアパネル１への挿入が容易であり、また、設置孔３２が小さくても挿入することができる。なお、改めて設置孔３２を設けた場合は、設置孔３２がパネル固定金具１０の設置により覆い隠されることが望ましい。このため、天板１１のサイズは、パネル固定金具１０が設置孔３２より落下せず、かつ、設置孔３２を覆い隠すのに十分なサイズであることが望ましい。
【００３４】
図９は、パネル固定金具１０のボルト２７を回転させる状態を示す図であり、図９（ａ）は上方より見た図、図９（ｂ）は側方より見た断面図を示す図である。
【００３５】
天板１１の上方より、ボルト２７を時計方向（図中Ａ方向）へ回転させると、フロアパネル１下において、係止部１７が図中Ｂ方向へ回転する。ずなわち、係止部１７がＨ鋼３側へ回転する。係止部１７は、ボルト２７の回転に伴い回転するが、ストッパ１５と接触すると、それ以上回転ができず回転動作が終了する。ここで、パネル固定金具１０の設置位置は、係止するＨ鋼３よりも外側であり、かつ、係止部１７の先端がＨ鋼３に届く範囲である必要がある。
【００３６】
図１０は、係止部１７が上昇動作する状態を示した図であり、図１０（ａ）は上方より見た図、図１０（ｂ）は側方より見た断面図を示す図である。
【００３７】
係止部１７がストッパ１５へ接触した後に、さらにボルト２７を時計方向に回転させると、係止部１７は、雌ねじ部２３とボルト２７の螺合により、上昇動作（図中Ａ方向）を行う。係止部１７が上昇し、Ｈ鋼３と係止されると、フロアパネル１はＨ鋼３へ固定される。
【００３８】
なお、フロアパネル１を取り外す際は、前述の工程を逆に行えば良い。すなわち、パネル固定金具１０のボルト２７を反時計回りにまわせば、係止部１７は下降し、Ｈ鋼３との係止が解かれ、係止部１７は自由に回転可能となる。よって、パネル固定金具１０をフロアパネル１より撤去すれば、フロアパネル１は自由に取り外すことができる。
【００３９】
本実施の形態によれば、フロアパネル１がＨ鋼３に固定されるため、地震時にフロアパネル１が浮き上がり、または脱落することがなく、非難時の人の転倒や床下への落下などの恐れがなく安全である。また、フロアパネル１の浮き上がりに伴う、フロアパネル上に設置された機器類の転倒の恐れもなく、機器の破損なども生じない。
【００４０】
また、フロアパネル１を取り外すことなく、すべての作業をフロアパネル１の上から行うことができる。このため、フロアパネル１の撤去や、フロアパネル１上に設置された既設の機器類を退避させることなくパネル固定作業を行うことができる。
【００４１】
また、パネル固定金具１０は、既存のフロアパネル１およびＨ鋼３に対して固定することができ、既設の支持台７を交換する必要もなく、フロアパネル１そのものを更新する必要もない。
【００４２】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００４３】
例えば、パネル固定金具のストッパ長さを長くし、ボルトを長くすれば、より厚い支持体へも固定することができる。すなわち、本実施の形態については、支持体としてＨ鋼への固定について説明したが、Ｈ鋼に替えて角パイプ等にも固定することもできる。
【図面の簡単な説明】
【００４４】
【図１】フロアパネル１が支持体上に設置された状態を示す斜視図。
【図２】フロアパネル１を固定するパネル固定金具１０の構成を示す分解斜視図。
【図３】フロアパネル１を固定するパネル固定金具１０が組み立てられた状態を示す斜視図。
【図４】パネル固定金具１０の使用時の最初の段階を示した図で（ａ）は上部より見た図、（ｂ）は側方より見た図。
【図５】係止部１７の回転動作を示した図で（ａ）は上方より見た図、（ｂ）は側方より見た図。
【図６】係止部１７の上昇動作を示した図で（ａ）は上方より見た図、（ｂ）は側方より見た図。
【図７】フロアパネル１がＨ鋼３上に配置された状態を示す図で（ａ）は上方より見た図、（ｂ）は側方より見た断面図。
【図８】設置孔３２にパネル固定金具１０を設置した状態を示す図で（ａ）は上方より見た図、（ｂ）は側方より見た断面図。
【図９】パネル固定金具１０のボルト２７を回転させる状態を示す図で（ａ）は上方より見た図、（ｂ）は側方より見た断面図。
【図１０】係止部１７が上昇動作する状態を示した図で（ａ）は上方より見た図、（ｂ）は側方より見た断面図。
【符号の説明】
【００４５】
１………フロアパネル
３………Ｈ鋼
５………支柱
７………支持台
１０………パネル固定金具
１１………天板
１３………底板
１５………ストッパ
１７………係止部
１９………抜け止め部
２１………穴
２３………雌ねじ部
２５………穴
２７………ボルト
２９………孔
３１………格子部
３２………設置孔
【図１】
2008240490.tif 000003
【図２】
2008240490.tif 000004
【図３】
2008240490.tif 000005
【図４】
2008240490.tif 000006
【図５】
2008240490.tif 000007
【図６】
2008240490.tif 000008
【図７】
2008240490.tif 000009
【図８】
2008240490.tif 000010
【図９】
2008240490.tif 000011
【図１０】
2008240490.tif 000012